(57)【特許請求の範囲】
【請求項１】
構築予定の地中空洞領域の外周を包囲する先行シールドトンネルを所定の間隔を空けて掘進して切削可能な切削セグメントで覆工する先行シールド工程と、
前記先行シールドトンネル間の前記切削セグメントを切削しながら隣接する両側の先行シールドトンネルにオーバーラップさせて後行シールドトンネルを掘進してセグメントで覆工する後行シールド工程と、
前記先行シールドトンネル及び後行シールドトンネルのセグメント内壁面に地山凍結管を設置して周辺地盤を凍結させて凍結改良体を形成して止水する地盤凍結工程と、
前記先行シールドトンネル及び後行シールドトンネル内に鉄筋コンクリートによる大きな先行覆工を構築する先行覆工工程と、
前記大きな先行覆工の内部を掘削して大断面の地中空洞を形成する地中空洞掘削工程と、を備える地中空洞の構築方法であって、
前記先行シールド工程の後、該シールドトンネルの内部において、横断方向の前記鉄筋コンクリートによる前記先行覆工の部分構築、該先行覆工に沿った追設凍結管の設置、該シールドトンネルのセグメント内壁面に前記地山凍結管の設置、該シールドトンネルの残る内部空間のコンクリート充填を行うことを特徴とする地中空洞の構築方法。
【請求項２】
前記後行シールド工程において、鋼製セグメントを用いることを特徴とする請求項１に記載の地中空洞の構築方法。
【請求項３】
前記地盤凍結工程は、
前記コンクリート充填後に、前記地山凍結管及び前記追設凍結管に冷媒を還流させ、前記周辺地盤及び前記先行覆工表面を凍結させて止水する先行地盤凍結工程と、  前記後行シールド工程後に、前記後行シールドトンネルの前記セグメント内壁面に前記地山凍結管を設置して前記周辺地盤を凍結させて前記凍結改良体を形成して止水する後行地盤凍結工程と、からなることを特徴とする請求項１または２に記載の地中空洞の構築方法。
【請求項４】
前記先行覆工工程において、
前記後行シールドトンネルの内部において、横断方向の前記鉄筋コンクリートによる前記先行覆工の構築を行って、前記先行シールドトンネル内部の前記先行覆工の端部との連結を行うことを特徴とする請求項１から３のいずれか一項に記載の地中空洞の構築方法。
【発明の詳細な説明】
【技術分野】
【０００１】
本発明は、大深度における大断面トンネルの分岐合流部に適用するに好適な地中空洞の構築方法に関する。
【背景技術】
【０００２】
大深度、高土圧下において、大断面のトンネル拡幅部を安全に工事するため、特許文献１に地中空洞の施工方法が提案されている。
その地中空洞の施工方法は、例えば図３に示すように行われる。
すなわち、図示のように、形成する地中空洞領域Ｔの外周に沿ってシールドトンネル１を等間隔で複数施工して地中空洞領域Ｔを包囲する。次に、隣り合うシールドトンネル１・１の間に跨って凍結管３を設置して、ブラインによって凍結改良体４を形成し、地山を安定させると共に止水を行う。この凍結改良体４内において、隣接するシールドトンネル１・１の間を掘削して作業空間を確保する。次に、この作業空間内において、地中空洞領域Ｔを包囲する鉄筋コンクリートによる大きな先行覆工９を形成し、この大きな先行覆工９の内部を掘削して大断面の地中空洞を構築する。
【０００３】
また、特許文献２にシールドトンネル用セグメントが提案されている。
そのシールドトンネル用セグメントは、小断面シールドトンネルのコンクリートセグメントの補強筋を、カーボン繊維やガラス繊維に樹脂を含浸したものとして、セグメントをシールド掘進機で切削可能なものとしたもので、複数の小断面シールドトンネルを連結して大断面の地中空洞を構築する。
【先行技術文献】
【特許文献】
【０００４】
【特許文献１】特開２００７−２１７９１１号公報
【特許文献２】特開平４−２１３６９５号公報
【発明の概要】
【発明が解決しようとする課題】
【０００５】
しかし、従来工法は、隣接するシールドトンネルの間を掘削するために、地山を露出させて直接掘削する必要がある。そのため、鋼製セグメントが使用され、鋼製セグメントのスキンプレートを剥がして開口を形成し、シールドトンネル間に形成された凍結改良体で支保された地山を露出し掘削する。その凍結改良体は止水のみならず土圧にも対抗するものであるので、凍結範囲は必然的に大きなものとしなければならず、厚いものとなるため、凍結の施工数量が多くなる。
例えば、地中空洞が内径３０．３ｍ（内空断面７２０ｍ２）の場合、凍結断面は、トンネルの間の距離が３ｍ程度の場合、凍結改良体の厚さを１．５ｍとした場合、２７７ｍ２を必要とする。
【０００６】
また、水圧下でシールドトンネル内から削孔し、隣接するシールドトンネルに接するように精度よく凍結管を設置することは、高い精度の削孔技術を必要とする。
そして、シールドトンネルの相互位置を正確に把握しなければならないので、施工の難易度が高く、コストがかかり、工期も長くならざるを得ないものであった。
【０００７】
本発明の課題は、地山を露出させて直接掘削することなくシールドトンネル同士を連結できるようすることによって凍結断面を縮減し、シールドトンネルの間に凍結管を打設することなく止水ができるようにすることによって、コストの削減及び工期の短縮を達成することである。
【課題を解決するための手段】
【０００８】
以上の課題を解決するため、請求項１に記載の発明は、
構築予定の地中空洞領域の外周を包囲する先行シールドトンネルを所定の間隔を空けて掘進して切削可能な切削セグメントで覆工する先行シールド工程と、
前記先行シールドトンネル間の前記切削セグメントを切削しながら隣接する両側の先行シールドトンネルにオーバーラップさせて後行シールドトンネルを掘進してセグメントで覆工する後行シールド工程と、
前記先行シールドトンネル及び後行シールドトンネルのセグメント内壁面に地山凍結管を設置して周辺地盤を凍結させて凍結改良体を形成して止水する地盤凍結工程と、
前記先行シールドトンネル及び後行シールドトンネル内に鉄筋コンクリートによる大きな先行覆工を構築する先行覆工工程と、
前記大きな先行覆工の内部を掘削して大断面の地中空洞を形成する地中空洞掘削工程と、を備えることを特徴とする。
【０００９】
そして、請求項１に記載の発明は、
前記先行シールド工程の後、該シールドトンネルの内部において、横断方向の前記鉄筋コンクリートによる前記先行覆工の部分構築、該先行覆工に沿った追設凍結管の設置、該シールドトンネルのセグメント内壁面に前記地山凍結管の設置、該シールドトンネルの残る内部空間のコンクリート充填を行うことを特徴とする。
【００１０】
請求項２に記載の発明は、
請求項１に記載の地中空洞の構築方法であって、
前記後行シールド工程において、鋼製セグメントを用いることを特徴とする。
【００１１】
請求項３に記載の発明は、
請求項１または２に記載の地中空洞の構築方法であって、
前記地盤凍結工程は、
前記コンクリート充填後に、前記地山凍結管及び前記追設凍結管に冷媒を還流させ、前記周辺地盤及び前記先行覆工表面を凍結させて止水する先行地盤凍結工程と、  前記後行シールド工程後に、前記後行シールドトンネルの前記セグメント内壁面に前記地山凍結管を設置して前記周辺地盤を凍結させて前記凍結改良体を形成して止水する後行地盤凍結工程と、からなることを特徴とする。
【００１２】
請求項４に記載の発明は、
請求項１から３のいずれか一項に記載の地中空洞の構築方法であって、
前記先行覆工工程において、
前記後行シールドトンネルの内部において、横断方向の前記鉄筋コンクリートによる前記先行覆工の構築を行って、前記先行シールドトンネル内部の前記先行覆工の端部との連結を行うことを特徴とする。
【発明の効果】
【００１３】
本発明によれば、地山を露出させて直接掘削することなくシールドトンネル同士を連結できるようすることによって凍結断面を縮減できて、シールドトンネルの間に凍結管を打設することなく止水ができるようにすることによって、コストの削減及び工期の短縮を達成することができる。
【図面の簡単な説明】
【００１４】
【図１】本発明を適用した地中空洞施工の一実施形態を示す縦断正面図である。
【図２】図１の先行シールドトンネルと後行シールドトンネルの連結部分の凍結改良体の詳細を示す拡大図である。
【図３】従来の地中大空洞施工例の概要を示す縦断正面図である。
【発明を実施するための形態】
【００１５】
以下、図を参照して本発明を実施するための形態を詳細に説明する。
【００１６】
（概要）
大深度の高土圧下で大断面の地中拡幅部を安全に作ることを目的に、その地中拡幅部周囲に大きな先行覆工を構築する。
先行覆工は多数の小口径シールドトンネルをラップ施工する。すなわち、後行シールドトンネルのシールドマシンで直接切削できる切削セグメントを先行シールドトンネルで使用することで、小口径先行シールドトンネルと小口径後行シールドトンネルをラップ施工する。従来工法と違い、先行シールドトンネルと後行シールドトンネルを連結し、先行覆工を構築する際は、全体が小口径シールドトンネルのセグメント内での作業となり、地山を露出することなく安全である。
そして、ラップ施工の過程で、その各トンネル内部に鉄筋コンクリートを部分的に現場打ちし、最後に、これら現場打ち鉄筋コンクリートを連結することで、大きな先行覆工が完成される（図１）。
ここで、小口径トンネル同士をラップする際、土圧は後行シールドトンネルの主桁を残して支え、止水目的のみに限定した先行覆工の表面近傍だけの凍結工法を併用する（図２）。
先行覆工の表面近傍だけの凍結工法なので、施工負担の小さい貼付凍結管が利用可能となる。
【００１７】
（実施形態）
図１は本発明を適用した地中空洞施工の一実施形態を示すもので、１は先行シールドトンネル、１Ｓは切削セグメント、２は後行シールドトンネル、２Ｓは鋼製セグメント、７は凍結改良体、Ｔは地中空洞領域である。
【００１８】
「１．先行シールド工程」
図示のように、構築すべき地中空洞領域Ｔの外周に沿って先行して施工する直径３〜５ｍの先行シールドトンネル１を、この先行シールドトンネル１の直径より小さな間隔で等間隔に構築する。
この先行シールドトンネル１の間を掘進する後続の後行シールドトンネル２は、先行シールドトンネル１と同じ直径とするのを基本とするが、必要に応じて変更してもよく、先行シールドトンネル１と後行シールドトンネル２がオーバーラップして一体化されて土水圧に耐える強度が得られるように先行シールドトンネル１・１の間隔を決定する。
【００１９】
先行シールドトンネル１の覆工用セグメントは、後行シールドトンネル２がオーバーラップして施工されるものであるため、シールドマシンのカッターで切削可能な切削セグメント１Ｓを使用する。
この切削セグメント１Ｓは、コンクリート製である。そのコンクリートの補強筋は、シールドマシンのカッターで容易に切削することができるように、鉄筋に代えて繊維補強樹脂製の補強筋を使用する共に、コンクリートに発生したクラックの伸展防止のためにコンクリート中に長さ０．５〜６ｃｍの樹脂繊維、または、ガラス繊維、炭素繊維を混入させたものであり、混入量は、０．０１〜１．０体積％である。コンクリートの骨材は、切削性をよくするために、石灰石、軽量人工骨材、高炉スラグ等が使用される。
また、セグメントを接続するための継手用のボルトも、鋼製のものを使用せずに、ＦＲＰ製のものを使用する。
【００２０】
具体的には、コンクリートの補強筋は、繊維に樹脂を含浸させた繊維強化樹脂製のものである。その繊維は、炭素、ガラス等の無機繊維、または、アラミド、ポリエステル、ナイロン、ビニロンの繊維である。また、樹脂は、エポキシ樹脂、ビニルエステル樹脂等の熱硬化性樹脂、または、ナイロン、ＰＰＳ（ポリフェニレンサルファイド樹脂）等の熱可塑性樹脂である。
クラックの伸展防止用の樹脂繊維としては、エポキシ樹脂、ビニルエステル樹脂等の熱硬化性樹脂、また、ポリアミド、ポリカーボネイト、ポリプロビレン、ＰＰＳ、アラミド等の熱可塑性樹脂などの繊維である。
特に、ガラス繊維で補強された樹脂のガラス繊維ロッドを筋材とし、アラミド繊維をクラック伸展防止のためコンクリートに０．２５〜０．５ｖｏｌ％含有させたものが、安価であると共に、コンクリートのクラック伸展防止に有効であるので、好ましい。
【００２１】
「２．先行地盤凍結工程」
次に、先行シールドトンネル１の内部には、図２に示すように、横断して将来の先行覆工９となる鉄筋コンクリート（ＲＣ）躯体の一部を構築しておき、さらに、内壁面に沿って地山凍結管５を設置するとともに、部分構築した先行覆工９のＲＣ躯体に沿って同様の追設凍結管５を設置する。
その後、先行シールドトンネル１の内部、すなわち、図示のように、先行覆工９のＲＣ躯体で内周側及び外周周に仕切られた内部に、コンクリートＣをそれぞれ充填して閉塞する。
【００２２】
そして、先行シールドトンネル１内の地山凍結管５及び追設凍結管５にブライン等の冷媒をそれぞれ循環させて地盤と先行覆工９のＲＣ躯体表面を冷却し、先行シールドトンネル１の外周側及び内周側の外側に凍結改良体７を形成して包囲し、並びに先行覆工９のＲＣ躯体表面に凍結膜８を形成して、それぞれ地下水の浸入経路を閉塞する。
【００２３】
「３．後行シールド工程」
前述したように、地中空洞領域Ｔの外周に沿って等間隔に掘進させた先行シールドトンネル１が完成したら、それらの間の未掘削部分をシールドマシンで掘進して後行シールドトンネル２を構築する。
後行シールドトンネル２の構築においては、先行シールドトンネル１、１の間隔よりもシールドマシンの掘削直径が大きなものであるので、後行シールドトンネル２のシールドマシンは、両側の先行シールドトンネル１の切削セグメント１Ｓを切削しながら掘進するので、後行シールドトンネル２は、先行シールドトンネル１とオーバーラップした状態となる。このとき、前記「２．先行地盤凍結工程」で用いる凍結管が、後行シールドトンネルとオーバーラップして後行シールドマシンで損傷されることのないよう、掘削断面及び凍結管の配置を設計する。
【００２４】
後行シールドトンネル２のセグメントは、鋼製セグメント２Ｓで覆工する。この鋼製セグメント２Ｓにより、全ての先行シールドトンネル１の間に後行シールドトンネル２を構築し、構築予定の地中空洞領域Ｔの外周は、交互に設置された先行シールドトンネル１と後行シールドトンネル２で包囲される。
【００２５】
「４．後行地盤凍結工程」
次に、先行シールドトンネル１と後行シールドトンネル２の連結部分の詳細を拡大して示す図２のように、切削セグメント１Ｓに連結された鋼製セグメント２Ｓの内壁に沿って地山凍結管６をそれぞれ設置する。
そして、後行シールドトンネル２内の地山凍結管６にブライン等の冷媒をそれぞれ循環させて地盤を冷却し、後行シールドトンネル２の外周側及び内周側の外側に凍結改良体７をそれぞれ形成して、既存の先行シールドトンネル１の外周側及び内周側の外側の凍結改良体７と連結し、一体となって地下水の浸入を阻止する。
【００２６】
ここで、先行シールドトンネル１と後行シールドトンネル２がオーバーラップさせてあり、土水圧は、先行シールドトンネル１及び後行シールドトンネル２のセグメント１Ｓ・２Ｓが負担する。このため、凍結改良体７の厚さは、地下水がトンネル内に浸入するのを阻止する厚さで十分であり、例えば厚さ５０ｃｍ程度で十分である。従って、従来の工法に比較して半分以下とすることができ、凍結に要するエネルギーを節約できると共に、露出した地山を掘削することがないので、地山の崩落などの恐れがほとんどなく、安全である。
【００２７】
「５．先行覆工工程」
次に、後行シールドトンネル２の内部において、鋼製セグメント２Ｓのスキンプレートを取り外し、隣接する先行シールドトンネル１内部の先行覆工９となるＲＣ躯体の端部を露出させる。この時、凍結改良体７とＲＣ躯体表面の凍結膜８で止水され、後行シールドトンネル２の主桁で土水圧が支持されている。
そして、後行シールドトンネル２内部を横断して先行覆工９となるＲＣ躯体の一部を構築して、先行シールドトンネル１内部のＲＣ躯体の端部と連結させて、一体として地中空洞領域Ｔを包囲する大きな先行覆工９を閉合する。
なお、後行シールドトンネル２内部の先行覆工９の背面側となる空洞はコンクリート等で閉塞する。
【００２８】
以上の大きな先行覆工９においては、先行シールドトンネル１と後行シールドトンネル２によって土水圧が負担されており、また、地山凍結管５、追設凍結管５及び地山凍結管６によって地中空洞領域Ｔの外周には連続した凍結改良体７が形成されているので、地下水の浸水の恐れがなく、安全な空間が確保されており、大きな先行覆工９の内部の掘削を効率よく行うことができる。また、ＲＣ躯体表面が凍結膜８で止水されているので、ＲＣ躯体表面を伝わって漏水することが防止される。これにより先行覆工９の閉合が先に完了した区間があるとき、そこだけ部分的に凍結改良体７の凍結を解除することが可能となり、より経済的に本工法を適用することが可能となる。
【００２９】
「６．地中空洞掘削工程」
こうして、大きな先行覆工９により包囲された地中空洞領域Ｔに構築される大深度地下空間は、大深度で施工されるシールドトンネルの分岐や合流部として利用することができ、地下水が存在する大深度においても安全に分岐部や合流部の工事を行うことができる。
【００３０】
（効果）
以上のとおり、連結された先行シールドトンネル１及び後行シールドトンネル２の内部空間で大きな先行覆工９の構築作業を行うので、従来技術のように、地山が露出した状態で作業するものでないので、安全である。
また、先行シールドトンネル１と後行シールドトンネル２がラップさせてあるので、耐土水圧構造が確保されており、補助とする凍結工法、すなわち、セグメント１Ｓ・２Ｓの内壁面に設置した地山凍結管５、追設凍結管５及び地山凍結管６は、止水のみを目的とすることができるので、凍結改良体７の厚みを小さくすることが可能である。
実施例によれば、必要空間が内径３０．３ｍ（内空断面７２０ｍ２）のトンネルに対して凍結断面Ａ＝９１ｍ２と大幅に縮減することができる。
また、凍結改良体７の造成において、地山凍結管５、追設凍結管５及び地山凍結管６をセグメント１Ｓ・２Ｓ内壁面に設置するだけでよいので、トンネル内から隣接するシールドトンネルに向かって凍結管を打設施工する必要がなく、工期を短縮でき、かつ、工費を低減することができる。
【００３１】
以上のように、凍結作業の施工数量の低減と高水圧下での削孔・凍結管設置作業を省略でき、コスト低減と工期短縮を達成した安全確実性の高い施工法である。
【００３２】
以上、実施形態の地中空洞の構築方法によれば、構築予定の地中空洞領域Ｔの外周を包囲する先行シールドトンネル１を所定の間隔を空けて掘進して切削可能な切削セグメント１Ｓで覆工し、次に、先行シールドトンネル１間の切削セグメント１Ｓを切削しながら隣接する両側の先行シールドトンネル１にオーバーラップさせて後行シールドトンネル２を掘進して鋼製セグメント２Ｓで覆工する。そして、先行シールドトンネル１及び後行シールドトンネル２のセグメント１Ｓ・２Ｓ内壁面に地山凍結管５・６を設置して周辺地盤を凍結させて凍結改良体７を形成して止水する。また、先行シールドトンネル１及び後行シールドトンネル２内に鉄筋コンクリートによる大きな先行覆工９を構築し、その大きな先行覆工９の内部を掘削して大断面の地中空洞を形成する。
従って、従来のように地山を露出させて直接掘削することなくシールドトンネル１・２同士を連結できるため、凍結断面を縮減できて、従来のようにシールドトンネルの間に凍結管を打設せずに、止水ができるため、コストの削減及び工期の短縮を達成することができる。
【００３３】
（変形例）
以上の実施形態の他、具体的な細部構造や手法等についても適宜に変更可能であることは勿論である。
【符号の説明】
【００３４】
１  先行シールドトンネル
１Ｓ  切削セグメント
２  後行シールドトンネル
２Ｓ  鋼製セグメント
５  地山凍結管（追設凍結管）
６  地山凍結管
７  凍結改良体
８  凍結膜
９  大きな先行覆工
Ｃ  コンクリート
Ｔ  地中空洞領域
【図１】
0006445341.tif 000002
【図２】
0006445341.tif 000003
【図３】
0006445341.tif 000004